【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
複数種類の機能の中から機能の選択を受け付ける受付手段と、
前記受付手段で受け付けた機能を実行させる実行手段と、
所定の駆動素子の昇温抑制が必要か否かを判定する判定手段と、
前記判定手段が昇温抑制が必要であると判定した場合に、選択されている前記機能の種類に応じて、前記所定の駆動素子の停止制御を行う停止制御手段と、を備える、
ことを特徴とする装置。
【請求項２】
請求項１に記載の装置であって、
前記停止制御手段は、
前記受付手段で受け付けた機能が前記所定の駆動素子を使用しない機能である場合、当該機能を前記実行手段に実行させ、かつ、
前記受付手段で受け付けた機能が前記所定の駆動素子を使用する機能である場合、前記判定手段が昇温抑制が必要であると判定しても、前記機能が含む動作のうち少なくとも最初の動作を前記実行手段に実行させる、
ことを特徴とする装置。
【請求項３】
請求項１に記載の装置であって、
前記所定の駆動素子は、原稿の読取に関する動作を含む機能を実行する際に使用され、
前記停止制御手段は、
前記受付手段で受け付けた機能が前記原稿の読取に関する動作を含まない機能である場合、当該機能を実行させ、かつ、
前記実行手段が実行する機能が前記原稿の読取動作に関する動作を含む機能である場合、前記判定手段が昇温抑制が必要であると判定しても、前記機能が含む動作のうち少なくとも給紙動作を実行させる、
ことを特徴とする装置。
【請求項４】
請求項１に記載の装置であって、
前記停止制御手段は、
前記判定手段が所定の駆動素子の昇温抑制が必要と判定した場合、前記所定の駆動素子の駆動量に基づいて前記所定の駆動素子の駆動を停止する停止時間を設定し、設定した停止時間に応じて前記実行手段が実行する機能に含まれる動作の実行を抑制する、
ことを特徴とする装置。
【請求項５】
請求項１に記載の装置であって、
前記実行手段は、
前記受付手段が原稿の読み取りに関する動作を含む機能の選択を受け付けた場合、前記原稿の読み取りに関する動作のうち少なくとも給紙を実行させる、
ことを特徴とする装置。
【請求項６】
請求項１に記載の装置であって、
前記停止制御手段は、読取部が原稿を読み取っている間は、前記判定手段が前記所定の駆動素子の昇温抑制が必要であると判定した場合でも前記所定の駆動素子を停止しない、
ことを特徴とする装置。
【請求項７】
請求項１に記載の装置であって、
前記停止制御手段は、
前記複数種類の機能の中の原稿の読み取りに関する動作を含む第一の機能が選択されている場合は、原稿の読み取りに関する動作のうちの所定の段階で前記所定の駆動素子の駆動を停止可能であり、
前記複数種類の機能の中の原稿の読み取りに関する動作を含む第二の機能が選択されている場合は、前記所定の段階よりも後の所定のタイミングで前記所定の駆動素子の駆動を停止する、
ことを特徴とする装置。
【請求項８】
請求項７に記載の装置であって、
前記停止制御手段は、前記第二の機能が選択されている場合は、原稿の排出後に前記所定の駆動素子の駆動を停止する、
ことを特徴とする装置。
【請求項９】
請求項７に記載の装置であって、
前記停止制御手段は、
前記第二の機能が選択されている場合は、前記所定の段階から前記所定のタイミングまでの前記所定の駆動素子の駆動量に基づき設定される停止時間に、前記第二の機能が選択された際の停止時間を加算した停止時間を設定する、
ことを特徴とする装置。
【請求項１０】
請求項７に記載の装置であって、
前記停止制御手段は、
前記第二の機能が選択されている場合は、一枚目の原稿の読み取りに関する前記所定の段階で前記所定の駆動素子の駆動を停止せず、二枚目以降の原稿の読み取りに関する前記所定の段階で前記所定の駆動素子の駆動を停止可能である、
ことを特徴とする装置。
【請求項１１】
請求項１に記載の装置であって、
前記停止制御手段は、前記所定の駆動素子の駆動量に基づいて前記所定の駆動素子の駆動を停止する場合の停止時間を設定し、
前記複数種類の機能の中の原稿の読み取りに関する動作を含む第一の機能が選択されている場合は、前記停止制御手段が設定した前記停止時間が経過していない場合であっても、前記複数種類の機能の次の選択を受け付け、
前記複数種類の機能の中の原稿の読み取りに関する動作を含む第二の機能が選択されている場合は、前記停止制御手段が設定した前記停止時間が経過していない場合は、前記複数種類の機能の次の選択を受け付けない、
ことを特徴とする装置。
【請求項１２】
請求項７に記載の装置であって、
前記第一の機能は、スキャナ機能、コピー機能又はファクスメモリ送信機能であり、
前記第二の機能は、ファクスダイレクト送信機能である、
ことを特徴とする装置。
【請求項１３】
請求項１に記載の装置であって、
前記停止制御手段は、前記受付手段で受け付けた機能がファクスダイレクト送信機能である場合、前記判定手段が昇温抑制が必要であると判定しても、前記ファクスダイレクト送信機能を前記実行手段に実行させる、
ことを特徴とする装置。
【請求項１４】
請求項４に記載の装置であって、
前記停止制御手段は、前記受付手段で受け付けた機能がファクスダイレクト送信機能である場合、前記ファクスダイレクト送信機能の実行後に設定された停止時間が経過するまで、前記受付手段の受け付けを抑制する、
ことを特徴とする装置。
【請求項１５】
請求項４に記載の装置であって、
前記停止制御手段は、前記受付手段で受け付けた機能が複数枚の原稿のファクスダイレクト送信機能である場合、前記実行手段が所定量の画像データを送信する毎に、前記実行手段が実行する画像データの送信を停止し、設定した停止時間を経過した後に、所定量の画像データを前記実行手段に送信させる、
ことを特徴とする装置。
【請求項１６】
請求項４に記載の装置であって、
前記停止制御手段は、前記受付手段で受け付けた機能が複数枚の原稿のコピー機能又はスキャナ機能である場合、前記実行手段が原稿１枚の読取動作及び搬送動作を実行する毎に、前記実行手段が実行する機能に含まれる動作の実行を停止し、設定した停止時間を経過した後に、前記実行手段が実行する機能に含まれる動作を再開させる、
ことを特徴とする装置。
【請求項１７】
請求項１に記載の装置であって、
原稿を読み取る読取部と、
原稿を搬送する搬送部と、を備え、
前記読取部は前記搬送部により搬送される原稿を読み取り、
前記所定の駆動素子は、前記搬送部の駆動源を構成するモータであり、
前記複数種類の機能は、スキャナ機能と、コピー機能と、ファクスメモリ送信機能と、ファクスダイレクト送信機能と、を含む、
ことを特徴とする装置。
【請求項１８】
複数種類の機能の中から機能の選択を受け付ける受付工程と、
前記受付工程で受け付けた機能を実行させる実行工程と、
所定の駆動素子の昇温抑制が必要か否かを判定する判定工程と、
前記判定工程で前記昇温抑制が必要であると判定した場合に、選択されている前記機能の種類に応じて、前記所定の駆動素子の停止制御を行う停止制御工程と、を備える、
ことを特徴とする方法。
【請求項１９】
請求項１〜１７のいずれか１項に記載の装置の各手段としてコンピュータを機能させるプログラム。
【手続補正２】
【補正対象書類名】明細書
【補正対象項目名】０００６
【補正方法】変更
【補正の内容】
【０００６】
本発明は、ユーザが選択した機能を円滑に実行しつつ、駆動素子の昇温抑制を図る技術を提供するものである。
【手続補正３】
【補正対象書類名】明細書
【補正対象項目名】０００７
【補正方法】変更
【補正の内容】
【０００７】
本発明によれば、例えば、複数種類の機能の中から機能の選択を受け付ける受付手段と、前記受付手段で受け付けた機能を実行させる実行手段と、所定の駆動素子の昇温抑制が必要か否かを判定する判定手段と、前記判定手段が昇温抑制が必要であると判定した場合に、選択されている前記機能の種類に応じて、前記所定の駆動素子の停止制御を行う停止制御手段と、を備える、ことを特徴とする装置が提供される。
【手続補正４】
【補正対象書類名】明細書
【補正対象項目名】０００８
【補正方法】変更
【補正の内容】
【０００８】
本発明は、ユーザが選択した機能を円滑に実行しつつ、駆動素子の昇温抑制を図る技術を提供することができる。
【手続補正５】
【補正対象書類名】明細書
【補正対象項目名】００３２
【補正方法】変更
【補正の内容】
【００３２】
原稿２０２の読み取りは、原稿先端センサ２０８で原稿の先端位置を検知した時点から、原稿をあらかじめ設定した読取開始搬送量を搬送した後に開始する。また、原稿２０２の読み取りは、原稿先端センサ２０８で原稿の後端位置を検知した時点から、あらかじめ決められた読取終了搬送量を読み取った後に終了する。
【手続補正６】
【補正対象書類名】明細書
【補正対象項目名】０１４５
【補正方法】変更
【補正の内容】
【０１４５】
画面Ｄ２０１は、コピー機能画面である。コピー機能画面Ｄ２０１では、コピー出力する部数の設定や用紙サイズの設定など様々な設定が可能である。設定ボタンをタッチすることで種々の設定が可能である。複合機１のスタートボタン（不図示）を押下することで、コピーを開始して画面Ｄ２０２に遷移する。複合機１の戻るボタン（不図示）を押下することで、画面Ｄ００１に遷移する。
【手続補正７】
【補正対象書類名】明細書
【補正対象項目名】０１６０
【補正方法】変更
【補正の内容】
【０１６０】
＜他の実施形態＞
上述した実施形態では、モータ２１６の昇温抑制のために昇温停止する例を説明をしたが、昇温抑制の対象となる駆動素子はこれに限られない。モータ２１７や、画像読取部７（イメージセンサ）や、原稿に光を照射する光源部を昇温抑制の対象とすることも可能である。
【手続補正８】
【補正対象書類名】明細書
【補正対象項目名】０１６２
【補正方法】変更
【補正の内容】
【０１６２】
上述した実施形態では、ファクスダイレクト送信機能の場合には、停止指示時間が残っていても、昇温停止を行わずに読取動作を開始する例を説明したが、このような制御を行う機能の種類はファクスダイレクト送信機能に限られるわけではない。例えば、データを送出する機能において、画像データを送出するタイミングに制約がある場合には、ファクスダイレクト送信機能の場合と同じ昇温停止制御を行っても構わない。また、データを送出する機能において、送出先からの要求に従って、温度管理方法を切り替えるようにしても構わない。また、操作部５で操作者が温度管理方法を設定することで、ファクスダイレクト送信以外の機能で、ファクスダイレクト送信機能の場合と同じ温度管理を行うようにしても構わない。